(57)【要約】【課題】海水及び汚染水の水面位置の変化に対応する熱管により、海水及び汚染水から水蒸気を発生させ、冷却水の収集可能な染水浄化装置を提供する。【解決手段】本発明の汚水浄化装置は、高温発生熱管１と、海水流入口２と、気体発生槽４と、水蒸気収集口５と、冷却管９と、真水貯水槽１４とを備え、高温発生熱管１が、気体発生槽４の中で筏状に配置されたことにより、海水流入口２の一端に接する海及び汚染水１３の水面位置に応じて高温発生熱管１の高さが定まり、海水及び汚染水１３を効率よく熱殺菌するとともに水蒸気へと変換し、真水貯水槽１４へと冷却された水を送る事が可能に構成されたことを特徴とする。【選択図】図１
2009208056.tif 000002
【特許請求の範囲】
【請求項１】
海水及び汚染水の水面位置に合わせ浮き沈みし、水面と筏状の熱管との間隔を一定に維持させ、水蒸気を発生させ、筏状の熱管上層部に密閉した屋根を設け、水蒸気を収集する汚染水浄化装置。
【請求項２】
筏状の熱管を気体発生槽の底に配置した請求項１に記載の汚染水浄化装置。
【請求項３】
海水及び汚染水を筏状の熱管で沸騰させ、蒸発し上昇した水蒸気を強制的にファンで冷却管に送り込み、冷却管の円周に巻き付けた冷却水管に深海の冷水を汲み上げ、水蒸気体を液体に変換する海水及び汚染水浄化装置。
【請求項４】
熱管の内側に発熱体を配置し、通電させ、１０００〜１６００℃まで高温で気体に変換させる発熱量を備えた事を特徴とする高温発生熱管を備えた汚染水浄化装置。
【請求項５】
冷却管内に複数の冷却網を設けその網は熱伝導のよい銅かアルミ性とし冷却水管に結合し、気体を結露させやすい機能を備えた気体冷却網を備えた汚染水浄化装置。
【発明の詳細な説明】
【技術分野】
【０００１】  本発明は、省エネルギーで海水から真水及び汚染水を浄化する装置に関する。
【背景技術】
【０００２】  海水や汚染水から真水に変換する装置は、高圧を利用した逆浸透膜が知られている。
【発明の開示】
【発明が解決しようとする課題】
【０００３】  しかしながら、逆浸透膜では、海水を真水に変換する事が可能でも殺菌性が無い。又、汚染水は、目詰まりを起こし問題があった。本発明は、上記課題に鑑みてなされたもので、高温によって発生する気体を冷却し得る水であって、殺菌性のある変換装置を提供する。
【課題を解決するための手段及び効果】
【０００４】  本発明の沸騰による気体発生と液体への変換装置は、真水変換量に応じた貯水槽を設け、その貯水した水面すれすれに高温発生熱管を複数浮かせ、筏状に組む。
高温発生熱管の中部に高温発生器を入れ高温発生熱管との間に一定の離間を設け組立て高温発生熱管に水が入らないように熱管両端末を閉じ、気密性を保つ。その高温発生熱管内に設けられた高温発生器に給電線を結合し、外部に設置した太陽光発電によって電気を供給する。高温発生熱管で熱せられ沸騰し上昇した気体は、強制的に冷却管に入り冷却水管に連結された冷却網によって気体が液体に変換され貯水槽に送られる。
気体発生槽の貯水が減水する分、水圧差によって、外部から補水される。この場合、常に気体発生槽の水面と外部の水面が同一水位であるようにし、高温発生熱管を浮上させ水位に合わせ上下させ気体発生の効率を良くする。
【発明を実施するための最良の形態】
【０００５】  図１及至図７は本発明の最良の形態による汚染水浄化装置を示し、図１は汚染水浄化装置の構成を示し、図２は図１の断面図を示し、図３は高温発生熱管の構成を示し、図４は図３の断面を示し、図５は気体発生槽の構成を示し、図６は熱管防水栓の構成を示し、図７は冷却管の構成を示す。【０００６】  本発明の汚染水浄化装置は、外部からの海水・汚染水流入部、浄化部、冷却部、真水流出部を備える。【０００７】  図１に示すように、海水・汚染水流入部は、海及び汚染水１３と、海水・汚染水流入口２とを備える。海及び汚染水１３と海水・汚染水流入口２との間に、防波堤１０が配置される。【０００８】  浄化部は、高温発生熱管１と、気体３と、気体発生槽４と、水蒸気収集口５を備える。【００１０】  図１に示すように、高温発生熱管１は、気体発生槽４に送り込まれる海水及び汚染水１３を効率よく気化、殺菌することができるよう複数筏状に、気体発生槽４の水面から底面の間に配置される。高温発生熱管１の一端には、高温発生熱管１を高温に上げるための電線６と、太陽光発電１９とを備える。
図３及び図４に示すように、高温発生熱管１の内側は、高温発生器２０と高温発生熱管１の内壁との離間保つよう配置される。高温発生熱管１の両端末は、高温発生熱管１内部の気密性を保つことのできる熱管防水栓２５を備える。【００１１】気体発生槽４の一端上部は、海水・汚染水流入部の海水・汚染水流入口２の一端に設置され、気体発生槽４の一端下部は、海水及び吸入開閉バルブ２３と、海水吐出口２４とを備える。海水及び吸入開閉バルブ２３は、開閉を調整することで、海及び汚染水１３の水面の変化に伴い、気体発生槽４内の水面が一定の位置にあるように配置される。【００１２】水蒸気収集口５の一端は、気体発生槽４上部より発生する気体３を強制的に冷却部へと送るための送風扇２１を備える。送風扇２１は、送風扇２１の動力源となるモーター２２を備える。【００１３】  冷却部は、冷却水管８と、冷却管９と、冷却水排水管７と、深層冷水引込管１２とを備える。【００１４】  冷却管９の内部に送り込まれる気体を冷却し効率よく液化させるために、冷却管９の周囲に冷却水管８を配置する。冷却水管８の一端は、冷却水管８が常時低音を保つために、海水及び汚染水を汲み上げることが可能な深層冷水引込管１２を備える。深層冷水引込管１２の一端は、海水及び汚染水１３と接し、汲み上げ量を調整するための深層水送管開閉バルブ１６を備える。【００１５】  図７に示すように、冷却管９は、水蒸気を効率よく液体にすることが可能な気体冷却網２７を一定間隔備える。気体冷却網２７は、熱伝導の良い銅かアルミ性により形成される。【００１６】  真水流出部は、真水を蓄えるための真水貯水槽１４と、真水を外部へと送り出すための真水送管１５と、圧送ポンプ２８とを備える。【００１７】  真水送管１５は、真水送管開閉バルブ１７を備え、真水貯水槽１４の一端面に配置される。【００１８】  次に動作を説明する。最初に、海水・汚染水１３付近に気体発生槽４を設置し、海水・汚染水１３は海水・汚染水流入口２を通過し、気体発生槽４へ流入する。この時に、気体発生槽４の下部一端に配置された海水吐出口２４内に備えられた海水及び汚染水吸入開閉バルブ２３の開閉を調整することで、気体発生槽４内の水面位置を調整することができる。この時、筏状に配置された高温発生熱管１は、気体発生槽４内の水面上部を浮かぶか、底面に配置することができる。高温発生熱管１が、気体発生槽４内の水面上部に浮かぶ場合は、図５に示すように、海及び汚染水１３の水位変化に対応することが可能となる。
気体発生槽４へ送り込まれた水は、高温発生熱管１により熱せられ、気体３に変化し、水蒸気収集口５へと上昇していく。上昇した気体３は、送風邪扇２１により強制的に冷却管９へと送り込まれる。冷却管９へ送り込まれた水蒸気は、冷却水管８により冷却され、真水貯水槽１４へと送られる。真水貯水槽１４へ蓄えられた水は、真水送管１５を通過し、砂漠１８などの水を必要とする所へと利用可能となる。【００１９】  最良の形態によれば、海及び汚染水１３の水位の変化に対応して、気体発生槽４内における筏状に配置された高温発生熱管１と水面との間隔を一定に保ちながら、海及び汚染水を沸騰し気化させるとともに熱殺菌を行い、冷却管９を通り真水貯水槽１４へ効率よく水を蓄えることが可能となる。
【産業上の利用可能性】
【００２０】  上記では、真水貯水槽１４の水は、砂漠１８で利用したが、農業用水、工業用水、飲用水として利用しても良い。
【図面の簡単な説明】
【００２１】
【図１】汚染水浄化装置の構成図（最良の形態）。
【図２】図１の断面図（最良の形態）。
【図３】高温発生熱管の構成図（最良の形態）。
【図４】高温発生熱管の断面図（最良の形態）。
【図５】気体発生槽の構成図（最良の形態）。
【図６】熱管防水栓の構成図（最良の形態）。
【図７】冷却管の構成図（最良の形態）。
【符号の説明】
【００２２】１  高温発生熱管、２  海水・汚染水流入口、３  気体、４  気体発生槽、５  水蒸気収集口、６  電線、７  冷却水排水管、８  冷却水管、９  冷却管、１０  防波堤、１１  波、１２  深層冷水引込管、１３  海水及び汚染水、１４  真水貯水槽、１５  真水送管、１６  深層水送管開閉バルブ、１７  真水送管開閉バルブ、１８  砂漠、１９  太陽光発電、２０  高温発生器、２１  送風邪扇、２２  モーター、２３  海水及び汚染水吸入開閉バルブ、２４  海水吐出口、２５  熱管防水栓、２６  水面、２７  気体冷却網、２８  圧送ポンプ、２９  高温発生器固定具
【図１】
2009208056.tif 000003
【図２】
2009208056.tif 000004
【図３】
2009208056.tif 000005
【図４】
2009208056.tif 000006
【図５】
2009208056.tif 000007
【図６】
2009208056.tif 000008
【図７】
2009208056.tif 000009